(57)【特許請求の範囲】
【請求項１】
容器と中栓、キャップとを備え、キャップと中栓によって計量部を形成した注出容器であって、
中栓は、隔壁と流通孔を設けた上壁、およびパイプ支持筒とを具備しており、
キャップは、計量筒部と、その内部に配設され、下端に開口を設けた仕切板とを具備しており、
仕切板の下端を中栓の上壁に当接させ、仕切板と隔壁によって計量部内を区切り、計量室と残液貯留室とを形成したことを特徴とするスクイズ式計量注出容器。
【請求項２】
容器と中栓、ノズルキャップとを備え、ノズルキャップと中栓によって計量部を形成した注出容器であって、
中栓は、底壁と底壁に立設された隔壁と、該隔壁に連設され、流通孔を穿孔した上壁と、流通孔に連通するパイプ支持筒とを具備しており、
ノズルキャップは、計量筒部とノズルとからなり、
計量筒部の上端面から隔壁に対応するよう位置し、下端に開口を設けた仕切板を垂設し、該仕切板の下端を中栓の上壁に当接させることによって、計量筒部内に計量室と残液貯留室とを形成したことを特徴とするスクイズ式計量注出容器。
【請求項３】
容器と中栓、ヒンジ式キャップとを備え、ヒンジ式キャップと中栓によって計量部を形成した注出容器であって、
中栓は、底壁と底壁に立設された隔壁と、該隔壁に連設され、流通孔を穿孔した上壁と、流通孔に連通するパイプ支持筒とを具備しており、
ヒンジ式キャップは、計量筒部を具え上壁に注出筒を立設したキャップ基体と、該キャップ基体に取着された開閉蓋とからなり、
計量筒部の上壁下面から中栓の隔壁に対応するよう位置し、下端に開口を設けた仕切板を垂設し、該仕切板の下端を中栓の上壁に当接させることによって、計量筒部内に計量室と残液貯留室とを形成したことを特徴とするスクイズ式計量注出容器。
【請求項４】
容器とキャップ、および容器口部に装着された計量部材とを備えた注出容器であって、
計量部材が、外筒と、有頂の内筒および底壁とからなり、外筒と内筒との間の空間を計量室としており、
内筒は、その下方部に流通孔を穿設した隔板を嵌着し、その下側にパイプを支持するとともに、内筒中間の所定位置に計量室に通じ計量線を規定する開口を設け、その上方部を残液貯留室としたことを特徴とするスクイズ式計量注出容器。
【発明の詳細な説明】
【０００１】
【発明の属する技術分野】
本発明は、液計量注出容器、計量部内に計量室とともに、注出時に計量部に通じるパイプ内の内容液を収容する残液貯留室を設けた計量注出容器に関する。
【０００２】
【従来の技術】
スクイズ式注出容器に計量室を設け、一定量の内容液を注出するようにした計量注出容器は、従来より提案されている。
【０００３】
【発明が解決しようとする課題】
従来の注出容器は、たとえば、図１２に示すように、計量室ａの中央に立設した筒体ｂにパイプｃを嵌挿したものである。
図において、Ａｃは容器、Ｂｃは計量室ａの底壁を構成する中栓、Ｃｃは計量室ａ周壁を構成するノズルキャップである。
計量、注出に当たって、容器胴部を押圧し、パイプｃを通じて内容液を押上げて、計量室ａに溜め、次いで、容器を倒立させ計量室内の内容液を注出するようにしていた。
【０００４】
しかしながら、計量時には、容器胴部の復元により余分な液は内筒の上端から戻され、戻された内容液の一部が、パイプ内に残ることがあった。
注出に当たって、パイプ内の内容液が計量室の液とともに注出され、計量した内容液より余分な液が注出されるという問題があった。
【０００５】
本発明は、上記の問題を解決することを課題とし、計量された内容液のみを注出するようにした計量注出容器を提供することを目的とする。
【０００６】
【課題を解決するための手段】
本発明は、上記の課題を解決するため、スクイズ式計量注出容器として、計量部を具えた計量注出容器であって、計量部の内部を区分して計量室と残液貯留室とを形成し、残液貯留室を形成する部材に、パイプに連続する流通孔を設けるとともに、計量室に通じ計量線を規定する開口を設けた。
【０００７】
スクイズ式計量注出容器の実施例として、容器と中栓、キャップとを備え、キャップと中栓によって計量部を形成した注出容器であって、中栓は、隔壁と流通孔を設けた上壁、およびパイプ支持筒とを具備しており、キャップは、計量筒部と、その内部に配設され、下端に開口を設けた仕切板とを具備しており、仕切板の下端を中栓の上壁に当接させ、仕切板と隔壁によって計量部内を区切り、計量室と残液貯留室とを形成したことを特徴とする構成を採用する。
【０００８】
上記計量注出容器のノズルキャップを用いた実施形態として、容器と中栓、ノズルキャップとを備え、ノズルキャップと中栓によって計量部を形成した注出容器であって、中栓は、底壁と底壁に立設された隔壁と、該隔壁に連設され、流通孔を穿孔した上壁と、流通孔に連通するパイプ支持筒とを具備しており、ノズルキャップは、計量筒部とノズルとからなり、計量筒部の上端面から隔壁に対応するよう位置し、下端に開口を設けた仕切板を垂設し、該仕切板の下端を中栓の上壁に当接させることによって、計量筒部内に計量室と残液貯留室とを形成したことを特徴とする構成を採用する。
【０００９】
また、ヒンジ式キャップを用いた実施形態として、容器と中栓、ヒンジ式キャップとを備え、ヒンジ式キャップと中栓によって計量部を形成した注出容器であって、中栓は、底壁と底壁に立設された隔壁と、該隔壁に連設され、流通孔を穿孔した上壁と、流通孔に連通するパイプ支持筒とを具備しており、ヒンジ式キャップは、計量筒部を具え上壁に注出筒を立設したキャップ基体と、該キャップ基体に取着された開閉蓋とからなり、計量筒部の上壁下面から中栓の隔壁に対応するよう位置し、下端に開口を設けた仕切板を垂設し、該仕切板の下端を中栓の上壁に当接させることによって、計量筒部内に計量室と残液貯留室とを形成したことを特徴とする構成を採用する。
【００１０】
中栓に変え、計量部材を用いた実施形態として、容器とキャップ、および容器口部に装着された計量部材とを備えた注出容器であって、計量部材が、外筒と、有頂の内筒および底壁とからなり、外筒と内筒との間の空間を計量室としており、内筒は、その下方部に流通孔を穿設した隔板を嵌着し、その下側にパイプを支持するとともに、内筒中間の所定位置に計量室に通じ計量線を規定する開口を設け、その上方部を残液貯留室としたことを特徴とする構成を採用する。
【００１１】
【発明の実施の形態】
次に、本発明の実施形態について、図面を参照して説明する。
図１において、Ａは容器、Ｂは中栓、Ｃはノズルキャップ、Ｄはオーバキャップ、Ｅはパイプで、いずれも合成樹脂を素材として成形されており、とくにノズルキャップは透明にされている。
【００１２】
容器Ａは、口部１と肩部２、胴部３と底部４とからなり、口部１外周には、ねじ５が螺設されている。
胴部３は、断面円形または楕円形で、楕円の場合には、短径側の対向壁面を押圧面とする。
【００１３】
図２に示すように、中栓Ｂは、底壁６とその周縁から立設された側周壁７とを具え、底壁６には、一定の高さを有する隔壁８が立設されており、その上端には、三日月形の上壁９が連設されている。
上壁９の中央には、円形の流通孔１０が穿孔され、流通孔１０と中心線を共通し、上壁９と底壁６との間にパイプ支持筒１１が連設されている。
【００１４】
パイプ支持筒１１は、隔壁８の部分を共用し、パイプ支持筒１１下端の底壁６部分は、開口となっており、パイプ支持筒１１内には、パイプＥが嵌挿される。
上壁９の隔壁８上端側には、段部１２が設けられている。
側周壁７の下端には、膨出環１３が設けられており、底壁６には、容器Ａの口部１内周に係合する密封リング１４が垂設されている。
【００１５】
図３に示すように、ノズルキャップＣは、嵌着筒２０と計量筒部２１、ノズル２２とからなっている。
嵌着筒２０の内周には、ねじ５に螺合するねじ２３が螺設され、その上方に、中栓Ｂの膨出環１３と側周壁７に嵌合する係合面２４が形成されている。
【００１６】
計量筒部２１は、側周壁７の内径と同径の内周を有する筒体２５と、該筒体２５に連続する円錐筒２６とを具えている。
円錐筒２６の上端から中栓Ｂの隔壁８に対応するよう仕切板２７が垂設されており、該仕切板２７の下端は、上壁９の段部１２に当接し、流通孔１０に対応する位置に角形の開口２８が設けられている。
【００１７】
中栓Ｂの側周壁７とノズルキャップＣの計量筒部２１、隔壁８と仕切板２７によって、図１に示すように、計量室２９と計量室２９に隣り合う残液貯留室３０とからなる計量部が形成されており、筒体２５の外周には、目盛３１が刻まれている。
【００１８】
ノズル２２は、円錐筒２６の上端部から立ち上がっており、内部には、注出孔３２が形成され、外周面の所定位置には、膨出環３３が設けられている。
【００１９】
図１に示すように、オーバキャップＤは、円錐筒２６の上端部と同径の円周壁４０と頂壁４１とからなり、円周壁４０には、ノズル２２と合致する円錐穴４２が穿設されている。
円錐穴４２には、膨出環３３に係合する溝４３が刻設され、頂壁４１の下面には、注出孔３２を塞ぐ栓体４４が垂設されている。
【００２０】
次に、本発明注出容器の使用態様と作用効果について説明する。
計量に当たって、図４に示すように、容器Ａを直立させた状態でオーバキャップＤを外し、胴部３を押圧すると、内容液はパイプＥを通じて押上げられ、流通孔１０から残液貯留室３０、開口２８を通じて計量室２９内に流入する。
【００２１】
胴部３から手指を離すと、胴部３壁面が復元して、内部は減圧状態となり、流通孔１０を通じて中栓Ｂの上壁９より上方にまで押上げられた余分な内容液を引き戻す。
したがって、計量室２９には、上壁９の高さまでの液が残され、一定量の内容液が計量されることになる。
【００２２】
胴部３の復元によって、パイプＥを通じて計量室２９に残された内容液と同容積の空気を胴部３内に吸込むことになるが、パイプＥ内に内容液が残されることもある。
【００２３】
次に、注出にあたって、図５に示すように、容器Ａを倒立させ胴部３を押圧すると、胴部３内の空気が押出され、計量室２９内の内容液を注出することができ、パイプＥ内に残された液は流通孔１０から残液貯留室３０に入り、溜められる。
したがって、パイプ内の残液は、計量室２９内には流れ込まないので、余分な内容液が注出されることはない。
【００２４】
計量する内容液を少なくしたい場合には、胴部３の押圧量を少なくし、少量ずつ押し上げる。
押し上げられた液は、計量室２９内に流入されるが、目盛３１を目視することによって、必要な量に達するまで押圧を繰り返し、所要量の内容液を計量室２９に溜めることができる。
【００２５】
次に、本発明の第２実施形態について説明する。
本実施形態は、楕円形容器にヒンジ式キャップを被嵌した計量注出容器に係るものである。
図６において、Ａａは容器、Ｂａは中栓、Ｃａはヒンジ式キャップ、Ｅａはパイプである。
【００２６】
容器Ａａは、口部５０と肩部５１、楕円形の胴部５２と底部５３とからなり、口部５０外周には、ねじ５４が螺設されている。
中栓Ｂａは、前記第１実施形態の中栓Ｂと同一の構成を有しており、説明を省略するとともに、部品の名称、符号をそのまま使用する。
【００２７】
図７，８に示すように、ヒンジ式キャップＣａは、嵌着筒５５と計量筒部５６とを具えたキャップ基体Ｃａ１と、該キャップ基体Ｃａ１に三点ヒンジの蝶番機構Ｃａ２を介して取着された開閉蓋Ｃａ３とからなっている。
【００２８】
嵌着筒５５の内周には、容器口部５０のねじ５４に螺合するねじ５７が螺設され、その上方に、中栓Ｂａの膨出環１３と側周壁７に嵌合する係合面５８が形成されている。
計量筒部５６は、中栓Ｂａの側周壁７の内径と同径の内周を有する筒壁５９と上壁６０とからなり、中栓Ｂａの隔壁８に対応するよう仕切板６１が上壁６０下面から垂設されている。
【００２９】
仕切板６１の下端は、中栓Ｂａの上壁９の段部１２に当接し、流通孔１０に対応する位置に角形の開口６２が設けられている。
中栓Ｂａの底壁６と側周壁７、キャップ基体Ｃａ１の計量筒部５６、隔壁８と仕切板６１によって、計量室６３と該計量室６３に隣り合う残液貯留室６４とからなる計量部が形成されている。
【００３０】
上壁６０には、注出開口６６が穿孔され、その周縁から注出筒６７が立設されており、残液貯留室６４の頂壁６８は、注出筒６７と同じ高さまで延び、上壁６０より突出している。
【００３１】
開閉蓋Ｃａ３は、弾性板６９と蝶番７０とからなる三点ヒンジの蝶番機構Ｃａ２によってキャップ基体Ｃａ１に連設されており、側周壁７１と頂壁７２とを具えている。
頂壁７２には、注出筒６７を密封する密封リング７３が立設され、側周壁７１の蝶番７０の反対側には、摘み７４が設けられている。
【００３２】
次に、本実施形態注出容器の使用態様と作用効果について説明する。
計量に当たって、図９に示すように、開閉蓋Ｃａ３を開蓋して胴部５２を押圧すると、前記第１実施形態と同様に内容液を計量室６３内に流入させ、胴部５２の復元によって一定量の液を計量することができる。
【００３３】
その際、余分な液はパイプＥａを通じて戻されるが、パイプＥａ内に内容液が残されることもある。
次に、注出に当たって、図１０に示すように、容器Ａａを倒立させ、胴部５２を押圧すると、胴部５２内の空気が送り出され、計量室６３内の内容液を注出することができる。
パイプＥａ内の内容液は残液貯留室６４に入るので、余分な内容液が注出されることはない。
【００３４】
前記各実施形態では、キャップと中栓によって計量部を形成するようにしているが、図１１に示すように、計量部材を容器口部に装着し、注出ノズルから注出するようにしてもよい。
図において、Ａｂは容器、Ｃｂはキャップ、ＢｂはキャップＣｂによって容器口部に装着された計量部材である。
【００３５】
計量部材Ｂｂは、扁平楕円形の有頂の内筒８０と外筒８１、底壁８２とからなり、内筒８０と外筒８１との間に計量室８３が形成されている。
内筒８０の所定の個所には、計量室８３に通じ計量線を規定する開口８４が設けられ、内筒８０の下方部には、中央部に流通孔８５を穿孔した隔板８６が嵌着されている。
隔板８６の下面には、流通孔８５を囲んで内筒８０の内周に接するパイプ支持筒８７が垂設され、パイプ支持筒８７にはパイプ８８が嵌着されている。
有頂の内筒８０の開口８４より上方は、残液貯留室８９となっている。
キャップＣｂの上面には、注出ノズル９０が形成されている。
【００３６】
計量に当たっては、開口８４までの液が計量室に溜められて計量され、注出に当たっては、パイプ８８内の液は残液貯留室８９に溜められ、前記各実施形態と同様に計量された内容液は注出ノズル９０から注出され、余分な液は注出されない。
【００３７】
【発明の効果】
本発明は、上記のように構成されているから、次の効果を奏する。
液注出容器の計量部に、計量室と残液貯留室とを形成し、計量後の注出時にパイプ内の残液を残液貯留室に溜めるようにしたから、計量された内容液を正確に注出できるようになった。
【図面の簡単な説明】
【図１】本発明第１実施形態の計量注出容器の一部断面正面図である。
【図２】中栓の説明図で、（ａ）は上面図、（ｂ）は断面正面図、（ｃ）は底面図である。
【図３】ノズルキャップとオーバキャップの分解説明図で、（ａ）は一部断面図、（ｂ）はノズルキャップの底面図である。
【図４】計量時の説明図である。
【図５】  注出時の説明図である。
【図６】  第２実施形態の計量注出容器の断面正面図である。
【図７】  ヒンジ式キャップの開蓋時の断面正面図である。
【図８】  ヒンジ式キャップの説明図で、（ａ）は開蓋時の上面図、（ｂ）は底面図である。
【図９】  計量時の説明図である。
【図１０】  注出時の説明図である。
【図１１】  別実施形態の計量注出容器の説明図で、（ａ）は断面図、（ｂ）は図（ａ）のＡ−Ａ線における横断面図である。
【図１２】  従来の計量注出容器の説明図である。
【符号の説明】
Ａ、Ａａ、Ａｂ、Ａｃ    容器
Ｂ、Ｂａ、Ｂｃ    中栓
Ｃ、Ｃｃ          ノズルキャップ
Ｃａ              ヒンジ式キャップ
Ｃａ１            キャップ基体
Ｃａ２            蝶番機構
Ｃａ３            開閉蓋
Ｄ                オーバキャップ
Ｅ、Ｅａ、８８、ｃ      パイプ
Ｂｂ              計量部材
Ｃｂ              キャップ
６                底壁
７                側周壁
８                隔壁
９                上壁
１０              流通孔
１１、８７        パイプ支持筒
１２              段部
２０、５５        嵌着筒
２１、５６        計量筒部
２２              ノズル
２５、ｂ          筒体
２６              円錐筒
２７、６１        仕切板
２８、６２、８４        開口
２９、６３、８３、ａ    計量室
３０、６４、８９        残液貯留室
３２              注出孔
５９              筒壁
６０              上壁
６６              注出開口
６７              注出筒
８０              内筒
８１              外筒
８２              底壁
【図１】
0003773027.tif 000002
【図２】
0003773027.tif 000003
【図３】
0003773027.tif 000004
【図４】
0003773027.tif 000005
【図５】
0003773027.tif 000006
【図６】
0003773027.tif 000007
【図７】
0003773027.tif 000008
【図８】
0003773027.tif 000009
【図９】
0003773027.tif 000010
【図１０】
0003773027.tif 000011
【図１１】
0003773027.tif 000012
【図１２】
0003773027.tif 000013